(57)【要約】【課題】簡単な構造でカメラとの電気的な接続を確実に確保するとともに、複数回の着脱の繰り返しによりカメラ側アクセサリシューに疵や樹脂粉が発生するのを回避するカメラ用アクセサリ機器を提供する。【解決手段】ストロボ装置は、接点ピン５を軸方向に移動可能に保持するとともに、ロックレバー２の回動操作に連動して移動する接点保持部材８を備える。接点ピン５は、先端が根元よりもアクセサリシュー２５のカメラ側アクセサリシューに対する挿入方向側となるように接点保持部材に保持される。ストロボ装置がカメラ側アクセサリシューに装着された状態で、ロックレバー２がロックする位置に回動操作されると、接点保持部材８が電気接点３１ａに向けて移動して、接点バネ６を圧縮させるとともに、接点ピン５を根元の方向に移動させる。【選択図】図４
2013182002.tif 000002
【特許請求の範囲】
【請求項１】
電気接点を有するカメラ側アクセサリシューに対して接続部を所定方向に挿入させることでカメラに装着されるカメラ用アクセサリ機器であって、
前記カメラ側アクセサリシューに装着された状態で前記電気接点に接触する接点ピンと、
前記電気接点に接触した状態の前記接点ピンを前記電気接点の方向に付勢する弾性部材と、
前記カメラ側アクセサリシューに装着された状態で前記カメラ側アクセサリシューに対してロックする位置とロックを解除する位置とに操作が可能な操作部材と、
前記接点ピンを当該接点ピンの軸方向に移動可能に保持するとともに、前記操作部材の操作に連動して移動する接点保持部材と、を備え、
前記接点ピンは、先端が根元よりも前記接続部の前記カメラ側アクセサリシューに対する挿入方向側となるように前記接点保持部材に保持されていて、
前記カメラ側アクセサリシューに装着された状態で、前記操作部材が前記ロックする位置に操作されると、前記接点保持部材が前記電気接点に向けて移動して、前記弾性部材を圧縮させるとともに、前記接点ピンを前記根元の方向に移動させることを特徴とするカメラ用アクセサリ機器。
【請求項２】
前記接点ピンは、前記接続部を前記カメラ側アクセサリシューに対して挿入している際に前記電気接点と接触するように前記接点保持部材に保持されていることを特徴とする請求項１に記載のカメラ用アクセサリ機器。
【請求項３】
前記接点ピンは、前記カメラ側アクセサリシューに装着された状態で前記根元の方向に移動することで、前記電気接点に対して前記根元の方向に移動する前よりも前記挿入方向の逆方向側の位置と接触することを特徴とする請求項１または２に記載のカメラ用アクセサリ機器。
【請求項４】
前記操作部材は、リング状に形成されて、前記接点保持部材の移動方向に沿う軸線を中心として回動操作が可能とされることを特徴とする請求項１ないし３のいずれか１項に記載のカメラ用アクセサリ機器。
【発明の詳細な説明】
【技術分野】
【０００１】
本発明は、カメラ側アクセサリシューに装着されるカメラ用アクセサリ機器に関し、詳しくはカメラの電子回路と電気的に接続するための接点ピンを備えるカメラ用アクセサリ機器に関する。
【背景技術】
【０００２】
カメラの電子回路と電気的に接続するための接続ピンを備えるカメラ用アクセサリ機器として、カメラ側アクセサリシューへの装着状態でバネ付勢された接点ピンをカメラ側アクセサリシューの電気接点に接触させるものがある。
【０００３】
しかし、カメラ用アクセサリ機器の接点ピン、及びカメラ側アクセサリシューの電気接点は、通常露出した状態であるため、長期間の放置等で表面に酸化被膜が形成されることで、電気的な接触抵抗が大きくなり、誤作動の原因となる。
【０００４】
そこで、カメラ側アクセサリシューに対してカメラ用アクセサリ機器を操作部材でロック操作する際に、接点ピンをカメラ側アクセサリシューへの挿入方向に移動させる事で接点ピンと電気接点との接触部をクリーニングする技術が提案されている（特許文献１）。
【先行技術文献】
【特許文献】
【０００５】
【特許文献１】特開２０１１−２６８１公報
【発明の概要】
【発明が解決しようとする課題】
【０００６】
しかし、上記特許文献１では、カメラ側アクセサリシューの挿入方向に移動する接点ピンを保持する接点保持部材の動作を固定リングに連動するカム機構とバネで制御しているため、構造が複雑になるとともに、クリーニング動作が不安定になる可能性がある。例えば、カメラ側アクセサリシューの電気接点と接点ピンとの摩擦により、バネの付勢力で接点保持部材を規定の位置に戻しきれず、所望のクリーニング効果を得られない可能性がある。
【０００７】
また、上記特許文献１では、カメラ側アクセサリシューへの装着中に突出した接点ピンがカメラ側アクセサリシューの電気接点や電気接点の周囲の樹脂部分を摺動する。このため、カメラ用アクセサリ機器の複数回の着脱の繰り返しによりカメラ側アクセサリシューに疵が発生して外観上の問題となるばかりか、樹脂粉等により接触不良を起こす可能性がある。
【０００８】
そこで、本発明は、簡単な構造でカメラとの電気的な接続を確保することができるとともに、複数回の着脱の繰り返しによりカメラ側アクセサリシューに疵や樹脂粉が発生するのを回避することができるカメラ用アクセサリ機器を提供することを目的とする。
【課題を解決するための手段】
【０００９】
上記目的を達成するために、本発明は、電気接点を有するカメラ側アクセサリシューに対して接続部を所定方向に挿入させることでカメラに装着されるカメラ用アクセサリ機器であって、前記カメラ側アクセサリシューに装着された状態で前記電気接点に接触する接点ピンと、前記電気接点に接触した状態の前記接点ピンを前記電気接点の方向に付勢する弾性部材と、前記カメラ側アクセサリシューに装着された状態で前記カメラ側アクセサリシューに対してロックする位置とロックを解除する位置とに操作が可能な操作部材と、前記接点ピンを当該接点ピンの軸方向に移動可能に保持するとともに、前記操作部材の操作に連動して移動する接点保持部材と、を備え、前記接点ピンは、先端が根元よりも前記接続部の前記カメラ側アクセサリシューに対する挿入方向側となるように前記接点保持部材に保持されていて、前記カメラ側アクセサリシューに装着された状態で、前記操作部材が前記ロックする位置に操作されると、前記接点保持部材が前記電気接点に向けて移動して、前記弾性部材を圧縮させるとともに、前記接点ピンを前記根元の方向に移動させることを特徴とする。
【発明の効果】
【００１０】
本発明のカメラ用アクセサリ機器によれば、簡単な構造でカメラとの電気的な接続を確保することができるとともに、複数回の着脱の繰り返しによりカメラ側アクセサリシューに疵や樹脂粉が発生するのを回避することができる。
【図面の簡単な説明】
【００１１】
【図１】（ａ）は本発明のカメラ用アクセサリ機器の実施形態の一例であるストロボ装置におけるアクセサリシューのロック解除状態を示す斜視図、（ｂ）は（ａ）に示すアクセサリシューのロック状態を示す斜視図である。
【図２】図１に示すストロボ装置のアクセサリシューが着脱可能に装着されるカメラ側アクセサリシューの斜視図である。
【図３】はストロボ装置のアクセサリシューにおけるロック解除状態の中央断面図である。
【図４】ストロボ装置のアクセサリシューにおけるロック状態の中央断面図である。
【図５】ストロボ装置のアクセサリシューの分解斜視図である。
【発明を実施するための形態】
【００１２】
以下、本発明の実施形態の一例を図面を参照して説明する。
【００１３】
図１（ａ）は本発明のカメラ用アクセサリ機器の実施形態の一例であるストロボ装置におけるアクセサリシューのロック解除状態を示す斜視図、図１（ｂ）は図１（ａ）に示すアクセサリシューのロック状態を示す斜視図である。
【００１４】
図２は、図１に示すストロボ装置のアクセサリシューが着脱可能に装着されるカメラ側アクセサリシューの斜視図である。
【００１５】
まず、説明の便宜上、図２を参照して、カメラ側アクセサリシュー３０から説明する。なお、カメラ側アクセサリシュー３０については、公知であるので簡単に説明する。
【００１６】
図２に示すように、カメラ側アクセサリシュー３０は、カメラの外装カバーの上面部に樹脂製のシュー台座３１が、不図示のビスにより金属製のシュープレート３２と共に固定される。
【００１７】
シュー台座３１には、電気接点３１ａ，３１ｂが一体に形成され、シュープレート３２には、後述するストロボ装置のアクセサリシュー２５のシュー金具４がカメラ背面側（図２のＡ方向）から挿入されて係合する。
【００１８】
シュープレート３２には、シュー金具４の挿入方向から見て左右一対の挿入ガイド部が設けられている。また、シュープレート３２には、アクセサリシュー２５のロックピン１４が挿抜されるロック穴部３２ａが形成されている。シュー台座３１の上面には、シュープレート３２に挿入されたシュー金具４の上下方向のガタつきを抑える為のシューバネ３３が取り付けられている。
【００１９】
次に、図１を参照して、ストロボ装置のアクセサリシュー２５について説明する。カメラとの接続部であるアクセサリシュー２５をカメラ側アクセサリシュー３０に対して所定方向に挿入させることで、ストロボ装置をカメラに装着することができる。
【００２０】
図１に示すように、アクセサリシュー２５は、ストロボ装置のボトムカバー１の下面に配置され、カメラ側アクセサリシュー３０のシュープレート３２に電気接点３１ａ，３１ｂの表面に沿って挿入されるシュー金具４を有する。シュー金具４の略中央の開口部には、カメラ側アクセサリシュー３０の電気接点３１ａ，３１ｂに接触する複数の接点ピン５が突設されている。
【００２１】
ロックレバー２は、リング状に形成され、周方向の一部には、ロックレバー２を回動操作するためのレバー部２ａが設けられている。ロックレバー２は、ロックレバー２のボトムカバー１に形成された切欠き部１ａの範囲内で後述するアクセサリシュー保持部材１１の移動方向に沿う軸線を中心としてロック位置（図１（ｂ））とロック解除位置（図１（ａ））との間で回動操作が可能とされている。
【００２２】
また、ロックレバー２のレバー部２ａの近傍には、係止解除釦３が設けられている。係止解除釦３を押すことで、ロックレバー２をロック位置からロック解除位置の方向に回動操作することが可能となる。ここで、ロックレバー２は、本発明の操作部材の一例に相当する。
【００２３】
アクセサリシュー保持部材１１は、ロックレバー２の回動動作に連動して上下方向、即ち、電気接点３１ａ，３１ｂの表面に対して略直交する方向に移動する。そして、ロックレバー２をロック位置に回動操作することで下降して、突出部１１ａとシュー金具４とでカメラ側アクセサリシュー３０のシュープレート３２を挟持する。
【００２４】
また、アクセサリシュー保持部材１１の下降動作に連動してロックピン１４も下降し、カメラ側アクセサリシュー３０のロック穴部３２ａと嵌合して、ストロボ装置のカメラからの脱落を防止する。
【００２５】
図３はストロボ装置のアクセサリシュー２５におけるロック解除状態の中央断面図、図４はストロボ装置のアクセサリシュー２５におけるロック状態の中央断面図、図５はストロボ装置のアクセサリシュー２５の分解斜視図である。
【００２６】
図３〜図５を参照して、アクセサリシュー２５は、グランド板１７、ボトムカバー１、シューブロック１０、及びシュー金具４がビス１６により一体に固定され、ビス１６は、シュー金具４に形成されたネジ穴４ａに締結される。グランド板１７の不図示の半田付け部には、ストロボ装置の接地線が接続される。
【００２７】
シュー金具４は、ビス１６を介してグランド板１７に電気的に接続されるので、カメラ側アクセサリシュー３０への装着状態において、シュー金具４がシュープレート３２に係合することで、カメラとストロボ装置の接地線が接続される。
【００２８】
接点保持部材８には、ビス２２を介して接点カバー９が固定され、接点保持部材８と接点カバー９との間には、接点ユニット２４及びロックピン１４が収納される。接点保持部材８は、リング部８ａ、及びリング部８ａの内周側に配置される十字型の箱体部８ｃを有する。また、ロックピン１４には、ロックピンバネ１８が取り付けられている。
【００２９】
接点ユニット２４は、いわゆるプローブピンと呼ばれるものであり、端子７ａが突出した筒状のケース７の内部に接点バネ６、及び接点ピン５が収納される。接点ピン５は、接点バネ６によりカメラ側アクセサリシュー３０の電気接点３１ａ，３１ｂの方向に付勢された状態で、ケース７の内部で軸方向に移動可能に支持されている。
【００３０】
アクセサリシュー保持部材１１は、接点保持部材８との間にシューブロック１０の円筒部１０ａを挟持した状態で、接点保持部材８と一体に上下方向に移動可能とされている。アクセサリシュー保持部材１１は、接点保持部材８のリング部８ａの内周部に嵌め込まれ、複数のフック部１１ｂによって接点保持部材８に固定される。
【００３１】
接点保持部材８、及びアクセサリシュー保持部材１１は、シューブロック１０の軸１０ｂに外挿された付勢バネ２０により常に上方へ付勢されている。また、シューブロック１０の円筒部１０ａから突出する複数の軸１０ｂは、接点保持部材８に形成された複数の嵌合穴８ｄに嵌合されて、水平方向のガタつきが防止される。
【００３２】
また、ボトムカバー１の下面１ｃとシューブロック１０の円筒部１０ａとの間には、ロックレバー２が回動可能に支持され、ロックレバー２のレバー部２ａには、付勢バネ１９を介して係止解除釦３が取り付けられる。また、ロックレバー２の内周部には、昇降カム２ｂが形成されている。
【００３３】
昇降カム２ｂは、接点保持部材８のリング部８ａの外周部に形成された複数の係合部８ｂに係合し、昇降カム２ｂと係合部８ｂとのカム作用により、アクセサリシュー保持部材１１及び接点保持部材８ が一体となって上下方向に移動する。
【００３４】
具体的には、ロックレバー２をロック位置に回動操作すると、アクセサリシュー保持部材１１及び接点保持部材８が一体となって下降する。また、ロックレバー２をロック解除位置に回動操作すると、アクセサリシュー保持部材１１及び接点保持部材８が一体となって上昇する。
【００３５】
ボトムカバー１の下面１ｃには、係止溝１ｂを有する円弧状のレール溝１ｅが形成されている。レール溝１ｅには、係止解除釦３に形成された突起（不図示）が摺動可能に係合する。そして、ロックレバー２のロック位置で突起が係止溝１ｂに進入して係止されることで、ロックレバー２のロック解除方向への回動が規制される。
【００３６】
接点保持部材８から上方に突出した接点ユニット２４のケース７の端子７ａには、フレキシブル基板２１が取り付けられる。フレキシブル基板２１は、ボトムカバー１の開口部１ｄを介してストロボ装置の制御基板に接続される。
【００３７】
次に、図３及び図４を参照して、ストロボ装置のアクセサリシュー２５の動作についてさらに説明する。
【００３８】
図３及び図４においては、ストロボ装置のアクセサリシュー２５がカメラ側アクセサリシュー３０に装着され、アクセサリシュー２５の接点ピン５がカメラ側アクセサリシュー３０の電気接点３１ａ，３１ｂの表面に接触している。
【００３９】
図３に示すアクセサリシュー２５のロック解除状態では、接点ピン５の略２／３の長さがケース７から電気接点３１ａ，３１ｂ側に突出しており、接点バネ６は、殆ど圧縮されていない状態である。
【００４０】
この状態では、カメラ側アクセサリシュー３０のシュープレート３２にアクセサリシュー２５のシュー金具４を挿入する際に、接点ピン５の先端がカメラ側アクセサリシュー３０上を小さい付勢力で摺動して、電気接点３１ａ，３１ｂのクリーニングが行われる。
【００４１】
一方、図４に示すアクセサリシュー２５のロック状態では、接点保持部材８は、係合部８ｂとロックレバーの昇降カム２ｂとのカム作用により下降することになるので、接点保持部材８に収納された接点ユニット２４及びロックピン１４も同様に下降する。
【００４２】
従って、カメラ側アクセサリシュー３０の電気接点３１ａ，３１ｂに接触する接点ピン５は、接点バネ６の付勢力に抗してケース７内に後退して接点バネ６が圧縮される。このため、接点ピン５は、電気接点３１ａ，３１ｂに対して大きな付勢力を付与した状態で接触する。
【００４３】
ここで、本実施形態では、接点ユニット２４は、接点保持部材８の移動方向（図３の矢印Ｂ方向）に対して角度αだけ傾斜させた状態で接点保持部材８と接点カバー９との間に収納される。すなわち、接点ピン５は、先端が根元よりもアクセサリシュー２５のカメラ側アクセサリシュー３０に対する挿入方向側となるように接点保持部材８に保持されている。図４の破線は、アクセサリシュー２５のロック解除状態における接点ピン５の突出位置を示しており、符号３５は、ロック解除状態における電気接点３１ａの相対的な表面高さに該当する。
【００４４】
接点ユニット２４が接点保持部材８の移動方向に対して角度αだけ傾斜させて配置されることで、アクセサリシュー２５のロック解除状態からロック状態への変移において、接点ピン５は、図中斜め右上方へ移動する事になる。従って、電気接点３１ａの表面に対する接点ピン５の接触点は、接点ピン５の軸方向の移動量に対するｓｉｎα分の距離Ｓだけ図中右方向へ移動する。言い換えると、接点ピン５は、根元の方向に移動することで、電気接点３１ａに対して根元の方向に移動する前よりもアクセサリシュー２５の挿入方向の逆方向側の位置と接触する。
【００４５】
即ち、アクセサリシュー２５がロック解除状態（図３）からロック状態（図４）へ変移する際、接点ピン５は、電気接点３１ａに対する接触位置がクリーニング済の規定の接触位置へ戻されるように移動すると共に、電気接点３１ａに対して大きな付勢力を与える。
【００４６】
以上説明したように、本実施形態では、カメラ側アクセサリシュー３０のシュープレート３２を挟持するアクセサリシュー保持部材１１と一体に昇降する接点保持部材８に対して接点ユニット２４を傾斜配置している。
【００４７】
そして、カメラ側アクセサリシュー３０のシュープレート３２にアクセサリシュー２５のシュー金具４を挿入する際に、接点ピン５をカメラ側アクセサリシュー３０上で小さい付勢力で摺動させて電気接点３１ａ，３１ｂのクリーニングを行う。その後、アクセサリシュー２５のロック解除状態からロック状態への変移において、接点ピン５がクリーニング済の規定の接触位置へ戻されるように移動すると共に、電気接点３１ａに対して大きな付勢力を与える。
【００４８】
これにより、電気接点３１ａ，３１ｂに対する、接点ピン５によるクリーニング機構と接触圧可変機構とを簡単な構造で実現することができ、安定したクリーニング動作で電気接点３１ａ，３１ｂに付着した酸化被膜や汚れ等を良好に除去することができる。
【００４９】
また、本実施形態では、アクセサリシュー２５のロック時には、ロック解除時より大きな付勢力で接点ピン５が電気接点３１ａ，３１ｂに押し付けられる。このため、接点ピン５により電気接点３１ａ，３１ｂに強固に付着した酸化被膜等を破断することが可能となり、上述したクリーニング効果と相まってストロボ装置とカメラとの電気的な接続を確保することができる。
【００５０】
更に、本実施形態では、ストロボ装置の着脱時においては、アクセサリシュー２５のロックは解除されている為、接点ピン５は、小さな付勢力で電気接点３１ａ，３１ｂに接触する。このため、接点ピン５の摺動によりカメラ側アクセサリシュー３０に疵がつくのを防止することができるとともに、摩耗により発生する樹脂粉等による接触不良も防止することができる。
【００５１】
なお、本発明の構成は、上記実施形態に例示したものに限定されるものではなく、材質、形状、寸法、形態、数、配置箇所等は、本発明の要旨を逸脱しない範囲において適宜変更可能である。
【００５２】
例えば、上記実施形態では、ケース７の内部に接点バネ６及び接点ピン５を収納した接点ユニット２４を用いているが、接点保持部材８が接点バネ６を直接保持するとともに接点ピン５を移動可能に保持する構造であっても良い。
【００５３】
また、接点ピン５を電気接点３１ａ，３１ｂの方向に付勢する弾性部材として、接点バネ６の代わりにゴム等その他の弾性部材を用いてもよい。
【００５４】
また、上記の実施形態では、カメラ用アクセサリ機器の一例であるストロボ装置におけるアクセサリシューの説明を行ったが、通信機器やＧＰＳユニットなどのカメラ用アクセサリ機器におけるアクセサリシューにも適用できる。
【符号の説明】
【００５５】
１  ボトムカバー
２  ロックレバー
４  シュー金具
５  接点ピン
６  接点バネ
８  接点保持部材
１０  シューブロック
１１  シュー保持部材
２４  接点ユニット
３１ａ，３１ｂ  電気接点
【図１】
2013182002.tif 000003
【図２】
2013182002.tif 000004
【図３】
2013182002.tif 000005
【図４】
2013182002.tif 000006
【図５】
2013182002.tif 000007